(57)【特許請求の範囲】
【請求項１】
基部と；
上記基部に形成され、所定の回路基板と嵌合する嵌合部と；
上記基部に固定され、電源装置の高さを規制する脚部と；
複数のリード端子を支える端子バーと係着する係着部と；
側壁を形成する環状のフレーム、側壁を形成するプレート、上記回路基板と協働して電源装置の全体を覆うケース、天板のうちの少なくとも１つを係止する係止部と；
を有することを特徴とする電源装置用固定台。
【請求項２】
請求項１において、
上記係止部は、上記基部から延びている弾性係止部と、上記弾性係止部の先端部に設けられている係止爪とによって構成されているものであることを特徴とする電源装置用固定台。
【請求項３】
請求項１において、
上記係止部は、上記フレーム、上記プレート、上記ケースの少なくとも１つを係止し、上記基部から延出している第１突出部と上記基部とによって形成されている位置決め用凹部と、上記フレーム、上記プレート、上記ケースの少なくとも１つを係止し、上記基部から延出している第２突出部と上記基部とによって形成されている係合用空所１８とによって構成されているものであることを特徴とする電源装置用固定台。
【請求項４】
請求項１において、
上記係止部は、上記天板を係止する天板係止部を有するものであることを特徴とする電源装置用固定台。
【請求項５】
請求項１において、
上記回路基板に嵌合されている上記固定台の嵌合部は突起であり、上記嵌合部が上記回路基板の穴状の係着部２１に圧入されるときに発生する削り屑を溜める凹部が上記嵌合部に設けられていることを特徴とする電源装置用固定台。
【請求項６】
所定の回路基板と；
複数のリード端子を支承する端子バーと；
基部と、上記基部に形成され上記回路基板と嵌合する嵌合部と、上記基部に固定され電源装置の高さを規制する脚部と、上記端子バーと係着する係着部と、側壁を形成する環状のフレーム、側壁を形成するプレート、上記回路基板と協働して電源装置の全体を覆うケース、天板のうちの少なくとも１つを係止する係止部とを具備する固定台と；
を有することを特徴とする電源装置。
【請求項７】
請求項６において、
上記側壁を形成する環状のフレームを有し、
上記基部から延出している第１突出部、第２突出部と、上記基部に設けられている弾性係止部と、上記弾性係止部に設けられている係止爪とによって、上記フレームが係止されていることを特徴とする電源装置。
【請求項８】
請求項６において、
上記側壁を形成する環状のフレームを有し、
上記基部から延出している第１突出部、第２突出部と、上記基部に設けられている弾性係止部と、上記弾性係止部に設けられている係止爪とによって、上記フレームが係止され、
上記環状のフレームに設けられている鍵状部の先端が、上記基部から延出している第２突出部と、上記基部とによって形成されている係合用空所に係合されていることを特徴とする電源装置。
【請求項９】
請求項６において、
上記プレートとして、長手方向の端部に鍵状部が設けられている第１プレート１を有し、
上記基部から延出している第１突出部、第２突出部と、上記基部に設けられている弾性係止部と、上記弾性係止部に設けられている係止爪とによって、上記第１プレートが係止され、上記第１プレートの鍵状部の先端が、上記基部に設けられている位置決め用凹部に係合されていることを特徴とする電源装置。
【請求項１０】
請求項６において、
上記プレートとして、短冊状の第２プレートを有し、
上記基部から延出している第１突出部、第２突出部と、上記基部に設けられている弾性係止部と、上記弾性係止部に設けられている係止爪とによって、上記第２プレートが係止され、上記第２プレートの端部が、上記基部から延出している第２突出部と上記基部とによって形成されている係合用空所に係合されていることを特徴とする電源装置。
【請求項１１】
請求項６において、
上記ケースを有し、
上記ケースは、その天井の隅部を切り欠いて形成された窓を備え、上記基部から延出している第１突出部、第２突出部と、上記基部に設けられている係止爪とによって、上記ケースが係止されていることを特徴とする電源装置。
【請求項１２】
請求項６において、
上記ケースを有し、
上記ケースは、その天井の隅部を切り欠いて形成された窓と、側壁の角部が切り欠かれている切欠部と、この切欠部に連接されている鍵状部と、この鍵状部に対向している端部とを備え、
上記基部から延出している第１突出部、第２突出部と、上記基部に設けられている弾性係止部と、上記弾性係止部に設けられている係止爪とによって、上記ケースの側壁が係止され、
上記ケースの鍵状部の先端が、上記基部に設けられている位置決め用凹部に係合され、上記ケースの端部が、上記基部から延出している第２突出部と上記基部とによって形成されている係合用空所に係合されていることを特徴とする電源装置。
【請求項１３】
請求項６において、
平板の天板を有し、
上記天板が、上記固定台に設けられている天板係止部に係合されていることを特徴とする電源装置。
【発明の詳細な説明】
【０００１】
【発明の属する技術分野】
本発明は、電源装置に関する。
【０００２】
【従来の技術】
図１５は、従来の電源装置ＰＳを示す分解斜視図である。
【０００３】
従来の電源装置ＰＳは、電子部品が搭載されている回路基板２０と、複数のリード端子を支承する端子バー９０とを有するものである。
【０００４】
端子バー９０は、２つの端部９１と、棒状の端子バー本体９２とを有するものであり、端部９１と端子バー本体９２とが一体不可分に形成されている。端部９１は、基板２０に設けられている係着部２１と嵌合する突起を有するものであり、端子バー本体９２には複数の端子が等間隔で植設されている。
【０００５】
また、従来の電源装置ＰＳにおいて、端子バー９０は、ケース、側壁を形成するフレームと結合されるが、この場合、端子バー９０の２つの端部９１と、上記ケース、上記フレームとが嵌合される。
【０００６】
【発明が解決しようとする課題】
しかし、上記従来例では、プリント基板における端子バーの取付位置が予め決められているので、プリント基板における任意の位置に、端子バー３０やケース、フレームを取り付けることができない。したがって、従来例では、設計の自由度が低いという問題がある。
【０００７】
また、上記従来例では、端子バー９０に設けられているピン数が固定的に定められ、たとえば、１０ピンの端子バー９０として独自の金型が存在し、１ピンでもピン数が異なれば、別の金型を用意する必要がある。つまり、端子バー９０のピン数が異なれば、そのピン数が異なる端子バーについて金型を新たに製造する必要があり、それまでに用意されている金型で製造することができる端子バーのピン数と異なるピン数の端子バーを使用する場合、コスト高になるという問題がある。
【０００８】
本発明は、今まで使用していた端子バーと異なるピン数の端子バーを使用する場合でも、コスト高にならない電源装置およびその固定台を提供することを目的とするものである。
【０００９】
【課題を解決するための手段】
本発明は、基部と、基部に形成され、所定の回路基板と嵌合する嵌合部と、基部に固定され、電源装置の高さを規制する脚部と、複数のリード端子を支える端子バーと係着する係着部と、側壁を形成する環状のフレーム、側壁を形成するプレート、回路基板と協働して電源装置の全体を覆うケース、天板のうちの少なくとも１つを係止する係止部とを有するものである。
【００１０】
【発明の実施の形態および実施例】
図１は、本発明の一実施例である電源装置ＰＳ１を構成する固定台１０Ｌ、１０Ｒと、回路基板２０とを示す斜視図である。
【００１１】
電源装置ＰＳ１は、固定台１０Ｌ、１０Ｒと回路基板２０との他に、後述するフレーム４０、第１プレートＰ１、第２プレートＰ２、ケース６０、７０、天板８０等によって構成されている。回路基板２０は、アルミニウムを材料とし、その一部に、固定台１０Ｌ、１０Ｒと係着する穴状の係着部２１が設けられている基板である。
【００１２】
図２は、上記実施例における固定台１０Ｌを示す拡大斜視図であり、図３は、上記実施例における固定台１０Ｒを示す拡大斜視図である。
【００１３】
固定台１０Ｌは、基部１１と、嵌合部１２と、脚部１３と、係着部１４と、弾性係止部１５と、係止爪１６と、位置決め用凹部１７と、第１突出部１７ａと、係合用空所１８と、第２突出部１８ａと、天板係止部１９とを有する。
【００１４】
嵌合部１２は、基部１１に形成され、回路基板２０の係着部２１と嵌合するものであり、脚部１３は、基部１１に固定され、電源装置ＰＳ１の高さを規制するものであり、係着部１４は、突起状を有し、図４、５に示す端子バー３０の孔３１と係着するものである。弾性係止部１５は、基部１１から延び、係止爪１６は、弾性係止部１５の先端部に設けられている。
【００１５】
位置決め用凹部１７は、フレーム４０、プレートＰ１、Ｐ２、ケース６０、７０の少なくとも１つを係止し、基部１１から延出している第１突出部１７ａと、基部１１とによって形成されている凹部である。
【００１６】
係合用空所１８は、フレーム４０、プレートＰ１、Ｐ２、ケース６０、７０の少なくとも１つを係止し、基部１１から延出している第２突出部１８ａと、基部１１とによって形成されている空所である。
【００１７】
天板係止部１９は、天板８０を係止するものである。
【００１８】
なお、係止部ＳＭは、側壁を形成するフレーム４０、第１プレートＰ１、第２プレートＰ２、ケース６０、７０、天板８０のうちの少なくとも１つを係止するものである。
【００１９】
図４は、上記実施例において、端子バー３０を固定台１０Ｌ、１０Ｒに固定する動作を示す斜視図である。
【００２０】
まず、端子バー３０に設けられている複数の孔３１のうちで左端と右端とに設けられている穴３１、３１に、それぞれ、固定台１０Ｌ、１０Ｒの係着部１４、１４を嵌合させる。これによって、端子バー３０と固定台１０Ｌ、１０Ｒとが一体化される。図４において、図５で示すピン端子３２が端子バー３０から省略されているが、通常は、端子バー３０にピン端子３２が挿入されている状態で、端子バー３０と固定台１０Ｌ、１０Ｒとが一体化される。
【００２１】
上記実施例において、９ピンを有する端子バー３０が固定台１０Ｌ、１０Ｒと一体化されているが、５ピン、１８ピン等、９ピン以外のピンを有する端子バーと固定台１０Ｌ、１０Ｒとを嵌合して一体化することができる。固定台１０Ｌ、１０Ｒに対応する固定台と端子バーとが一体成型されている従来例を製造するための金型が比較的高価であるが、上記実施例では、製造コストが安価である。すなわち、端子バー３０自体を製造するための金型は比較的安価であり、また、ピン数が変わっても固定台として固定台１０Ｌ、１０Ｒを１組作れば足りるので、上記実施例では、固定台１０Ｌ、１０Ｒと端子バー３０の製造コストが安価である。
【００２２】
図５は、上記実施例において、端子バー３０と固定台１０Ｌとを回路基板２０に固定する動作を示す拡大図である。
【００２３】
端子バー３０の孔３１に、固定台１０Ｌの係着部１４が嵌合され、固定台１０Ｌに設けられている突起状の嵌合部１２が、回路基板２０に設けられている穴状の係着部２１に嵌合される。また、嵌合部１２には凹部１２ａが設けられ、突起状の嵌合部１２が回路基板２０の穴状の係着部２１に圧入されるときに発生する削り屑を凹部１２ａが溜め、削り屑が回路基板２０に散逸し、回路基板２０上の回路が短絡することを防止できる。さらに、凹部１２ａは、係着部２１を形成するときに発生する金属のバリを覆い、固定台１０Ｌ、１０Ｒが回路基板２０に密接することを可能にする。
【００２４】
図６は、上記実施例において、端子バー３０と固定台１０Ｌとが回路基板２０に固定されている状態を示す拡大斜視図である。
【００２５】
図７、図８は、本発明の第２の実施例である電源装置ＰＳ２を示す斜視図である。
【００２６】
電源装置ＰＳ２は、回路基板２０と、固定台１０Ｌ、１０Ｒと、環状のフレーム４０とによって構成されている。フレーム４０の角部に切欠部４０ｃが設けられ、固定台１０Ｌ、１０Ｒにフレーム４０が嵌合されている。
【００２７】
つまり、基部１１から延出している第１突出部１７ａ、第２突出部１８ａと、基部１１に設けられている弾性係止部１５と、弾性係止部１５に設けられている係止爪１６とによって、フレーム４０が係止されている。
【００２８】
この場合、フレーム４０の係止がフレーム４０の四隅に生じるので、フレーム４０が固定台１０Ｌ、１０Ｒと強固に結合される。また、フレーム４０の切欠部４０ｃが第１突出部１７ａ、第２突出部１８ａと嵌合するので、フレーム４０と固定台１０Ｌ、１０Ｒとの嵌合がさらに強固になる。
【００２９】
また、環状のフレーム４０に鍵状部に設け、この鍵状部の先端を、係合用空所１８に係合さるようにしてもよい。
【００３０】
図９、図１０は、本発明の第３の実施例である電源装置ＰＳ３を示す斜視図である。
【００３１】
電源装置ＰＳ３は、回路基板２０と、固定台１０Ｌ、１０Ｒと、第１プレートＰ１、第２プレートＰ２とを有するものであり、回路基板２０と、固定台１０Ｌ、１０Ｒと、第１プレートＰ１、第２プレートＰ２とが結合されている。
【００３２】
第１プレートＰ１は、サイドプレートであり、長手方向の端部に鍵状部５１を有するプレートである。第２プレートＰ２は、フロントプレートであり、短冊状のプレートである。
【００３３】
基部１１から延出している第１突出部１７ａ、第２突出部１８ａと、基部１１に設けられている弾性係止部１５と、弾性係止部１５に設けられている係止爪１６とによって、第１プレートＰ１が係止されている。また、第１プレートＰ１の鍵状部５１の先端５２が、基部１１に設けられている位置決め用凹部１７に係合されている。
【００３４】
さらに、基部１１から延出している第１突出部１７ａ、第２突出部１８ａと、基部１１に設けられている弾性係止部１５と、弾性係止部１５に設けられている係止爪１６とによって、第２プレートＰ２が係止されている。また、第２プレートＰ２の端部５３が、基部１１から延出している第２突出部１８ａと、基部１１とによって形成されている係合用空所１８に係合されている。
【００３５】
ここで、固定台１０Ｌ、１０Ｒと第１プレートＰ１、第２プレートＰ２とを結合しようとする場合、弾性係止部１５の弾性力によって、係止爪１６が脚部１３側に反り、第１プレートＰ１の鍵状部５１の先端５２が位置決め用凹部１７に挿入された後は、係止爪１６が元に戻って第１プレートＰ１の上端を押え、先端５１が位置決め用凹部１７から抜けることを阻止する。
【００３６】
また、固定台１０Ｌ、１０Ｒの係合用空所１８に、第２プレートＰ２の先端５３、５３が挿入され、係止爪１６と係合用空所１８とによって、先端５３、５３が係止される。第２プレートＰ２の先端５３、５３を固定台１０Ｌ、１０Ｒの係合用空所１８に挿入する場合、弾性係止部１５の弾性力によって、係止爪１６が脚部１３側に反り、第２プレートＰ２の先端５３、５３が係合用空所１８に挿入された後は、係止爪１６が元に戻って第２プレートＰ２の上端を押え、先端５３が係合用空所１８から抜けることを阻止する。
【００３７】
図１１、図１２は、本発明の第４の実施例である電源装置ＰＳ４を示す斜視図である。
【００３８】
電源装置ＰＳ４は、回路基板２０と、固定台１０Ｌ、１０Ｒと、樹脂ケース６０とによって構成され、樹脂ケース６０が固定台１０Ｌ、１０Ｒに係止されている。
【００３９】
樹脂ケース６０は、その天井の隅部を切り欠いて形成された窓６０ｗを備え、基部１１から延出している第１突出部１７ａ、第２突出部１８ａと、基部１１に設けられている係止爪１６とによって係止されている。この場合、樹脂ケース６０の四隅に設けられている切欠部６０ｃが、基部１１から延出している第１突出部１７ａ、第２突出部１８ａと係合しているので、樹脂ケース６０と固定第１０Ｌ、１０Ｒとの係合が強固である。
【００４０】
図１３は、本発明の第５の実施例である電源装置ＰＳ５を示す斜視図である。
【００４１】
電源装置ＰＳ５は、回路基板２０と、固定台１０Ｌ、１０Ｒと、アルミケース７０とによって構成され、アルミケース７０が固定台１０Ｌ、１０Ｒに係止されている。
【００４２】
アルミケース７０は、その天井の隅部を切り欠いて形成された窓７０ｗと、側壁の角部が切り欠かれている切欠部７０ｃと、切欠部７０ｃに連接されている鍵状部７１と、鍵状部７１に対向している端部７３とを有する。
【００４３】
基部１１から延出している第１突出部１７ａ、第２突出部１８ａと、基部１１に設けられている弾性係止部１５と、弾性係止部１５に設けられている係止爪１６とによって、ケース７０の側壁が係止されている。また、アルミケース７０の鍵状部７１の先端７２が、基部１１に設けられている位置決め用凹部１７に係合され、アルミケース７０の端部７３が、基部１１から延出している第２突出部１８ａと基部１１とによって形成されている係合用空所１８に係合されている。
【００４４】
図１４は、本発明の第６の実施例である電源装置ＰＳ６を示す斜視図である。
【００４５】
電源装置ＰＳ６は、回路基板２０と、固定台１０Ｌ、１０Ｒと、フレーム４０と、平板の天板８０とによって構成され、フレーム４０と天板８０とが固定台１０Ｌ、１０Ｒに係止されている。
【００４６】
また、固定台１０Ｌ、１０Ｒの脚部１３には、その長手方向に対して垂直に切り込まれている天板係止部１９が設けられ、この天板係止部１９に天板８０の舌片８１が係合されている。
【００４７】
上記実施例によれば、回路基板２０、またはケース６０、７０、フレーム４０、側壁板Ｐ１、Ｐ２から独立した特定構造の固定台１０Ｌ、１０Ｒを用いることによって、プリント基板２０の任意の位置に、端子バー３０を取り付けることができる。また、上記実施例によれば、ケース６０、７０、フレーム４０、側壁板Ｐ１、Ｐ２のいずれをも、回路基板２０に取り付けることができる。さらに、上記実施例によれば、ケース６０、７０、フレーム４０、側壁板Ｐ１、Ｐ２を共通の固定台１０によって回路基板２０に取り付けできるので、コストダウンになるばかりでなく、回路基板２０の所定面域に電磁シールド兼用のケース等を取り付けることも可能である。また、上記実施例によれば、特別の治具を使用せずに、電源装置を、容易に組み立てることができる。
【００４８】
【発明の効果】
本発明によれば、従来使用していた端子バーと異なるピン数の端子バーを使用する場合でも、それ程コスト高にならないという効果を奏する。
【図面の簡単な説明】
【図１】本発明の一実施例である電源装置ＰＳ１を構成する固定台１０Ｌ、１０Ｒと、回路基板２０とを示す斜視図である。
【図２】上記実施例における固定台１０Ｌを示す拡大斜視図である。
【図３】上記実施例における固定台１０Ｒを示す拡大斜視図である。
【図４】上記実施例において、端子バー３０を固定台１０Ｌ、１０Ｒに固定する動作を示す斜視図である。
【図５】上記実施例において、端子バー３０と固定台１０Ｌとを回路基板２０に固定する動作を示す拡大図である。
【図６】上記実施例において、端子バー３０と固定台１０Ｌとが回路基板２０に固定されている状態を示す拡大斜視図である。
【図７】本発明の第２の実施例である電源装置ＰＳ２を示す斜視図である。
【図８】本発明の第２の実施例である電源装置ＰＳ２を示す斜視図である。
【図９】本発明の第３の実施例である電源装置ＰＳ３を示す斜視図である。
【図１０】本発明の第３の実施例である電源装置ＰＳ３を示す斜視図である。
【図１１】本発明の第４の実施例である電源装置ＰＳ４を示す斜視図である。
【図１２】本発明の第４の実施例である電源装置ＰＳ４を示す斜視図である。
【図１３】本発明の第５の実施例である電源装置ＰＳ５を示す斜視図である。
【図１４】本発明の第６の実施例である電源装置ＰＳ６を示す斜視図である。
【図１５】従来の電源装置ＰＳを示す分解斜視図である。
【符号の説明】
ＰＳ１〜ＰＳ６…電源装置、
１０Ｌ、１０Ｒ…固定台、
１１…基部、
１２…嵌合部、
１３…脚部、
１４…係着部、
１５…弾性係止部、
１６…係止爪、
１７…位置決め用凹部、
１８…係合用空所、
１９…天板係止部、
２０…回路基板、
２１…係着部、
４０…フレーム、
Ｐ１…第１プレート、
Ｐ２…第２プレート、
６０、７０…ケース、
８０…天板。
【図１】
0003678334.tif 000002
【図２】
0003678334.tif 000003
【図３】
0003678334.tif 000004
【図４】
0003678334.tif 000005
【図５】
0003678334.tif 000006
【図６】
0003678334.tif 000007
【図７】
0003678334.tif 000008
【図８】
0003678334.tif 000009
【図９】
0003678334.tif 000010
【図１０】
0003678334.tif 000011
【図１１】
0003678334.tif 000012
【図１２】
0003678334.tif 000013
【図１３】
0003678334.tif 000014
【図１４】
0003678334.tif 000015
【図１５】
0003678334.tif 000016